(57)【特許請求の範囲】
【請求項１】
刃部と取付部との間に該取付部よりも径の大きい段部が形成された歯科用の切削ツールを保持しつつ洗浄槽内の洗浄液に浸漬されて前記切削ツールの洗浄に供する洗浄用スタンドと、前記洗浄後に着脱自在に装着された前記洗浄スタンドを回転駆動部が回転させ前記切削ツールに付着した洗浄液を飛散させて前記切削ツールの洗浄液除去に供する洗浄液除去装置とを備え、
前記洗浄スタンドが互いに平行となるように支持体に支持された上板及び下板を有し、前記上板には前記切削ツールが挿通される挿通孔が形成され、前記下板には前記挿通孔の下方に位置する受け孔が形成され、前記切削ツールが前記取付部を下向きにして前記挿通孔に上方から挿通されて、前記段部が前記挿通孔の周縁部に係止されるとともに、前記取付部の下部が前記受け孔に進入した状態で、前記洗浄スタンドが前記切削ツールを保持し、
前記洗浄液除去装置が前記回転駆動部の上部に前記洗浄液の飛散を許す脱水室を有し、該脱水室に設けられた室外に連通する排水口を介して歯科用ユニットのバキューム装置に接続されることを特徴とする歯科用切削ツール洗浄装置。
【請求項２】
前記挿通孔が複数形成されるとともに、前記受け孔が各挿通孔に対応して複数形成されていることを特徴とする請求項１に記載の歯科用切削ツール洗浄装置。
【請求項３】
前記複数の挿通孔が円状又は同心円状に形成されていることを特徴とする請求項２に記載の歯科用切削ツール洗浄装置。
【請求項４】
前記洗浄用スタンドが前記上板の中心部を通って前記上板の上方に突出する中空かつ断面Ｄカット形状のシャフトを有するとともに、
前記洗浄液除去装置が前記回転駆動部から上方に突出した断面Ｄカット形状の回転シャフトを有し、
前記シャフトの内部に前記回転シャフトが下方から嵌挿されて前記洗浄用スタンドが前記洗浄液除去装置に着脱自在に装着されることを特徴とする請求項１乃至請求項３のいずれかに記載の歯科用切削ツール洗浄装置。
【発明の詳細な説明】
【０００１】
【発明の属する技術分野】
本発明は、切削ツールを保持した状態で洗浄槽内の洗浄液に浸漬され、切削ツールの洗浄に用いられる洗浄用スタンドと、この洗浄用スタンドに保持された切削ツールに付着した洗浄液を水切りして除去する洗浄液除去装置とを備えた歯科用切削ツール洗浄装置に関する。
【０００２】
【従来の技術】
歯科又は医科の医療現場では、外科処置用の切削ツールによる院内感染を防止するために、切削ツールを使い捨てにするか、あるいは、洗浄及び滅菌して再利用している。このような切削ツールの洗浄方法としては、例えば特許文献１に記載されているように、超音波を用いた洗浄方法が知られている。この超音波洗浄では、洗浄槽内の洗浄液（消毒液、薬液）に使用済みの切削ツールを浸漬させ、その洗浄液に超音波振動を与えることにより、切削ツールに付着した汚れが除去される。
【０００３】
【特許文献１】
特開平７−１００１５４号公報
【０００４】
【発明が解決しようとする課題】
ところで、超音波洗浄を行う際に、複数の切削ツールを洗浄槽内に入れて同時に洗浄しようとすると、切削ツール同士が互いにぶつかり合って刃が傷ついたり刃こぼれが生じたりし、切削機能が損なわれるという問題がある。そこで、例えば歯科におけるインプラント治療時には、顎骨に人工歯根を植立するための植立孔を開ける際に複数の切削ツールが使用されるが、これらの切削ツールを使用後は一つ一つガーゼでくるんで洗浄槽内の洗浄液に浸漬させ、切削ツール同士の直接的な接触を回避しつつ超音波洗浄を行い刃を保護している。
【０００５】
しかしながら、このように切削ツールがそのまま洗浄液に浸されるのではなくガーゼにくるまれた状態で浸されると、その分洗浄効率が低下するおそれがあるほか、多量のガーゼの準備やガーゼの汚染防止についても配慮しなければならない。
【０００６】
また、小さな切削ツールを一つ一つガーゼでくるむ作業は手間や時間がかかる上、作業者のくるみ方によって洗浄の程度に差が生じる可能性が高いので、誰が行っても同等の洗浄効果を期待できるとは言い難い。
【０００７】
さらに、超音波洗浄後に洗浄槽から取り出した切削ツールをそのままの状態で放置すると、切削ツールに錆が生じて使用できなくなるので、従来は切削ツールに付着した水分を布で拭き取ってエアブローを行い切削ツールを乾燥させ、デシケータに保存していた。ところが、このような作業も手間と時間がかかり不便である上に、作業者によっては切削ツールに付着した洗浄液を完全に払拭しないで作業を終えてしまうこともあり、洗浄効率や洗浄精度の向上の妨げとなっていた。
【０００８】
本発明は、このような問題に鑑みてなされたもので、切削ツールの破損や損傷を防止しつつその洗浄を容易とし、洗浄効率や洗浄精度の向上を図ることができる歯科用切削ツール洗浄装置を提供することを課題とする。
【０００９】
【課題を解決するための手段】
このような課題を解決するために、請求項１に係る発明は、刃部と取付部との間に該取付部よりも径の大きい段部が形成された歯科用の切削ツールを保持しつつ洗浄槽内の洗浄液に浸漬されて前記切削ツールの洗浄に供する洗浄用スタンドと、前記洗浄後に着脱自在に装着された前記洗浄スタンドを回転駆動部が回転させ前記切削ツールに付着した洗浄液を飛散させて前記切削ツールの洗浄液除去に供する洗浄液除去装置とを備え、前記洗浄スタンドが互いに平行となるように支持体に支持された上板及び下板を有し、前記上板には前記切削ツールが挿通される挿通孔が形成され、前記下板には前記挿通孔の下方に位置する受け孔が形成され、前記切削ツールが前記取付部を下向きにして前記挿通孔に上方から挿通されて、前記段部が前記挿通孔の周縁部に係止されるとともに、前記取付部の下部が前記受け孔に進入した状態で、前記洗浄スタンドが前記切削ツールを保持し、前記洗浄液除去装置が前記回転駆動部の上部に前記洗浄液の飛散を許す脱水室を有し、該脱水室に設けられた室外に連通する排水口を介して歯科用ユニットのバキューム装置に接続される歯科用切削ツール洗浄装置を特徴とする。
【００１０】
請求項２に係る発明は、請求項１に記載の歯科用切削ツール洗浄装置において、前記挿通孔が複数形成されるとともに、前記受け孔が各挿通孔に対応して複数形成されていることを特徴とする。
【００１１】
請求項３に係る発明は、請求項２に記載の歯科用切削ツール洗浄装置において、前記複数の挿通孔が円状又は同心円状に形成されていることを特徴とする。
【００１２】
請求項４に係る発明は、請求項１乃至請求項３のいずれかに記載の歯科用切削ツール洗浄装置において、前記洗浄用スタンドが前記上板の中心部を通って前記上板の上方に突出する中空かつ断面Ｄカット形状のシャフトを有するとともに、前記洗浄液除去装置が前記回転駆動部から上方に突出した断面Ｄカット形状の回転シャフトを有し、前記シャフトの内部に前記回転シャフトが下方から嵌挿されて前記洗浄用スタンドが前記洗浄液除去装置に着脱自在に装着されることを特徴とする。
【００１７】
請求項１に係る発明によれば、切削ツールが上板に形成された挿通孔に保持されて洗浄槽内の洗浄液に浸漬されることにより、洗浄時における他の洗浄物等との接触や衝突が回避される。すなわち、切削ツールを一つ一つガーゼ等の緩衝材でくるまず洗浄用スタンドに保持させるだけで、切削ツールの刃の破損や損傷が防止されるので、洗浄にかかる手間や時間やガーゼ等の消耗品のコストを大幅に省くことができる。さらに、洗浄液がガーゼ等を通さず切削ツールに直接的に当たるので、洗浄効率が飛躍的に向上し、また、作業者の技量によらず一定の洗浄効果を得ることができるので、洗浄精度も向上する。
さらに、回転駆動部が洗浄用スタンドを回転させることによって、この洗浄用スタンドに保持されて洗浄槽内で洗浄された切削ツールに付着した洗浄液を飛散させて除去するので、切削ツールを一つ一つ丁寧に払拭等しなくても付着した洗浄液を容易に除去することができ、その乾燥にかかる手間や時間等を大幅に省くことができる。また、作業者の技量によらず拭き残し等の発生を抑制することができるので、洗浄精度も高めることができる。
また、洗浄液除去装置がバキューム装置に接続されてこのバキューム装置によって脱水室内の水分が吸引されるので、切削ツールや洗浄用スタンドから飛散した液滴が再度それらに付着することを有効に阻止し得て、錆の発生を確実に防止することができるとともに、洗浄液除去装置の使用後の各切削ツールや洗浄用スタンドのメンテナンスも容易化する。そのバキューム装置は歯科用ユニットのものを兼用しているから、別途新たに吸引設備を設ける必要がなく経済的である。
【００１８】
請求項２に係る発明によれば、切削ツールを保持する挿通孔が複数形成されているので、洗浄用スタンドが複数の切削ツールを同時に保持して洗浄することができ、このような場合における切削ツール同士の接触や衝突を回避することができる。
【００１９】
請求項３に係る発明によれば、複数の挿通孔が円状又は同心円状に形成されているので、例えば洗浄用スタンドが複数の切削ツールを保持し、かつ、その周囲側方から超音波振動が与えられるような場合に、ある切削ツールが他の切削ツールの陰になって洗浄され難いという事態を防止しやすく、各切削ツールを一様に洗浄することができる。また、洗浄用スタンドが複数の切削ツールを円状又は同心円状に保持することにより、洗浄液除去装置に装着されて回転する場合には、回転バランスを良好にすることができる。
【００２０】
請求項４に係る発明によれば、上板の中心部を通って上板の上方に突出するシャフトが設けられているので、このシャフトの上部が洗浄液に浸らないように洗浄槽内の洗浄液の量を調整しておけば、作業者がそのシャフトの上部を掴んで洗浄用スタンドを洗浄液に入れたり洗浄液から出したりすることによって、作業者の手が洗浄液を汚染したり洗浄液により汚染されたりすることを容易に防止することができる。
また、シャフト及び回転シャフトは互いに断面がＤカット形状であるので、回転シャフトの回転力が確実にシャフトに伝達され、回転シャフトとシャフトとの間で滑りが生じて軸同士がぶれたり、回転シャフトが空転したりする事態が防止される。
【００２３】
【発明の実施の形態】
以下、図面を参照して本発明の実施の形態について説明する。
【００２４】
本実施の形態に係る歯科用切削ツール洗浄装置は、洗浄用スタンドと、洗浄液除去装置とを備える。
図１は本実施の形態に係る洗浄用スタンドを示すものである。このスタンド１は、３枚の保持板２ａ，２ｂ，２ｃと、底板３と、シャフト４と、３本の脚柱５とにより概略構成されている。スタンド１は後述のように歯科で用いられるインプラント治療用の切削ツールを保持することができ、切削ツールを保持した状態で超音波洗浄機の洗浄槽内に設置されることにより、切削ツールの超音波洗浄を可能とする。
【００２５】
ここで、インプラント治療用の切削ツールとは、顎骨に人工歯根を植立するための植立孔を開けるドリル等の刃付き切削器具であって、インプラント治療器具として専用のハンドピースに着脱自在に取り付けられる。図２は本実施の形態で洗浄対象とする切削ツールを示し、切削ツール１０ａは、切削機能を有する刃部１１ａと、ハンドピースに取り付けるための取付部１２ａとを備え、刃部１１ａと取付部１２ａとの間には段部１３ａが形成されている。取付部１２ａ及び段部１３ａはともに略丸棒状を呈し、段部１３ａの径Ｄ１３ａが取付部１２ａの径Ｄ１２ａよりも大きくなっている。
【００２６】
切削ツール１０ｂも、刃部１１ｂと取付部１２ｂとが段部１３ｂによって接続されており、段部１３ｂの径Ｄ１３ｂが取付部１２ｂの径Ｄ１２ｂよりも大きくなっている。また、切削ツール１０ａとの比較では、切削ツール１０ｂの取付部１２ｂの長さＬ１２ｂが、切削ツール１０ａの取付部１２ａの長さＬ１２ａよりも大きくなっている。
【００２７】
切削ツール１０ｃは、切削ツール１０ａや切削ツール１０ｂのように段部を有しておらず、略同一径を有する刃部１１ｃと取付部１２ｃとが連続して形成されている。
【００２８】
図３及び図４にも示すように、スタンド１の保持板２ａ，２ｂ，２ｃ及び底板３は、略同一径を有する硬質樹脂製の円板である。保持板２ａ，２ｂ，２ｃ及び底板３は、その中心を貫通するシャフト４及びその外縁部を貫通する脚柱５によって、互いに平行となるように支持されている。
【００２９】
詳細には、脚柱５の外周にはネジ面が形成され、各脚柱５が保持板２ａ，２ｂ，２ｃ及び底板３の外縁部を周方向に沿って３等分する位置に形成された貫通孔を貫通した状態で、その保持板２ａ，２ｂ，２ｃ及び底板３を上記ネジ面に螺合されたナット７により挟持して支持している。シャフト４は中空であって側面の一部が平坦化された断面Ｄカット状を呈し、保持板２ａ，２ｂ，２ｃ及び底板３の中央に形成された同じくＤカット状の貫通孔を貫通した状態で、図示を略す固定金具により各板に固定されている。
【００３０】
保持板２ａ，２ｂ，２ｃはこの順に上方から配置され、底板３は最下段の保持板２ｃよりも下方に配置されている。保持板２ａと保持板２ｂとの間の離間距離Ｌ１は上記長さＬ１２ａよりも若干短く、保持板２ａと保持板２ｃとの間の離間距離Ｌ２は上記長さＬ１２ｂよりも若干短く、保持板２ａと底板３との間の離間距離Ｌ３は上記長さＬ１２ｂよりも長く設定されている。また、シャフト４は脚柱５よりも著しく保持板２ａから上方に突出し、脚柱５はシャフト４よりも底板３から下方に突出している。各脚柱５の下端部はゴム足が取り付けられてスタンド１の全体を支える脚部８に、シャフト４の上端部は切削ツールの洗浄作業者がスタンド１を持つ際に使用される把持部９になっている。
【００３１】
保持板２ａ，２ｂ，２ｃには、シャフト４を中心とした２つの仮想的な同心円Ｓ１，Ｓ２上に所定の間隔を保ちつつ複数の挿通孔６が形成されている（以下、挿通孔６がいずれの保持板に形成されたものであるかを区別するために、保持板２ａに形成された挿通孔６を挿通孔６ａ、保持板２ｂに形成された挿通孔６を挿通孔６ｂ、保持板２ｃに形成された挿通孔６を挿通孔６ｃとも記載する。）。各挿通孔６の径Ｄは、切削ツール１０ａ，１０ｂ，１０ｃの取付部１２ａ，１２ｂ，１２ｃの径Ｄ１２ａ，Ｄ１２ｂ，Ｄ１２ｃのうち最大のものよりも大きく、切削ツール１０ａ，１０ｂの段部１３ａ，１３ｂの径Ｄ１３ａ，Ｄ１３ｂのうち小さいものよりも小さい。保持板２ｂ，２ｃに形成された各挿通孔６ｂ，６ｃは、保持板６ａに形成された複数の挿通孔６ａのうちのいずれかに対応してその下方に位置し、各板の対応し合う挿通孔６ａ，６ｂ，６ｃが同軸上（同一鉛直線上）に並ぶようになっている。なお、保持板２ｂ，２ｃに形成された挿通孔６ｂ，６ｃは、場合によっては受け孔として機能するが、この点については後述する。
【００３２】
このスタンド１を用いて切削ツール１０ａ，１０ｂ，１０ｃの超音波洗浄を行うには、作業者は取付部１２ａを下向きにして切削ツール１０ａを保持板２ａの上方から挿通孔６ａ，６ｂに挿通させる。このとき、挿通孔６ａの径ＤはＤ１２ａ＜Ｄ＜Ｄ１３ａを満たし、取付部１２ａの長さＬ１２ａはＬ１＜Ｌ１２ａ＜Ｌ２を満たすので（図４参照）、切削ツール１０ａの段部１３ａ及び刃部１１ａは挿通孔６ａを挿通せずにその周縁部６ａ’に引っ掛かり、周縁部６ａ’に係止されて保持される。また、切削ツール１０ａの下部（取付部１２ａの端部）は挿通孔６ｂに進入し、もし切削ツール１０ａが揺動した場合には受け孔としての挿通孔６ｂの周面６ｂ’に受け止められる形で保持され、他の切削ツールや部材に干渉しないようになっている。
【００３３】
同様に、作業者は取付部１２ｂを下向きにして切削ツール１０ｂを他の挿通孔６ａ，６ｂ，６ｃに挿通させるが、この場合には取付部１２ｂの長さＬ１２ｂがＬ２＜Ｌ１２ｂ＜Ｌ３を満たすので、切削ツール１０ｂの下部（取付部１２ｂの端部）は受け孔としての挿通孔６ｃの周面６ｃ’に受けられる。
【００３４】
一方、仮に切削ツール１０ｂの取付部１２ｂがさらに長くてＬ３＜Ｌ１２ｂが成り立つ場合や、切削ツール１０ｃのように全長に亘って径が挿通孔６の径Ｄよりも小さい場合には、切削ツールは挿通孔６ａの周縁部６ａ’に保持されることなく、その下端部が底板３に到達する。切削ツール１０ｃについては、取付部１２ｃの下端部が底板３に下方から支持され、取付部１２ｃや刃部１１ｃが挿通孔６ｂ又は挿通孔６ａの周面により側方から保持されることにより、全体としては挿通孔６に立て掛けられた状態で保持される。
【００３５】
スタンド１に切削ツール１０ａ，１０ｂ，１０ｃを保持させると、つぎに作業者はそのスタンド１を消毒液の入った容器２０の底面２０ａ（図５参照）に載置して、切削ツール１０ａ，１０ｂ，１０ｃの全体を消毒液に浸漬させる。容器２０には取っ手２１が設けられているので、作業者はその取っ手２１を掴んでスタンド１を容器２０ごと超音波洗浄機２２の洗浄槽２３の内部に入れればよい。この洗浄槽２３にはあらかじめ水が満たされているが、その水位は容器２０を洗浄槽２３の内部に入れた際に、洗浄槽２３の水が容器２０の周壁２０ｂを越えて流れ込み消毒液に混入しないように設定されている。
【００３６】
続いて、作業者は超音波洗浄機２２のスイッチ２４をオンにし、これにより洗浄槽２３の水に与えられた超音波振動が容器２０の周壁２０ｂを介して消毒液に伝達され、スタンド１に保持された切削ツール１０ａ，１０ｂ，１０ｃが超音波洗浄される。
【００３７】
この実施の形態に係る洗浄用スタンド１では、切削ツール１０ａ，１０ｂ，１０ｃが挿通孔６ａ，６ｂ，６ｃのいずれか又はすべてに保持されて容器２０内の洗浄液に浸漬されることにより、洗浄時における他の洗浄物等との接触や衝突が回避される。すなわち、切削ツール１０ａ，１０ｂ，１０ｃを一つ一つガーゼ等の緩衝材でくるまずスタンド１に保持させるだけで、各切削ツールの刃の破損や損傷が防止されるので、洗浄にかかる手間や時間やガーゼ等の消耗品のコストを大幅に省くことができる。さらに、洗浄液がガーゼ等を通さず切削ツール１０ａ，１０ｂ，１０ｃに直接的に当たるので、洗浄効率が飛躍的に向上し、また、作業者の技量によらず一定の洗浄効果を得ることができるので、洗浄精度も向上する。
【００３８】
なお、超音波振動が切削ツール１０ａ，１０ｂ，１０ｃに当たる際に、各洗浄ツールを挿通孔６に円状に保持させておけば、ある切削ツールが他の切削ツールの陰になって洗浄され難いという事態を防止して、各切削ツールを一様に洗浄することができる。
【００３９】
ところで、スタンド１により洗浄された切削ツール１０ａ，１０ｂ，１０ｃを乾燥させるには、ここでは作業者がその一本一本の水分を布等で拭き取るのではなく、図６及び図７に示す洗浄液除去装置を用いる。歯科用切削ツール洗浄装置６０は、洗浄液除去装置３０にスタンド１が着脱自在に装着されるようになっている。
【００４０】
この洗浄液除去装置３０は、一般的な遠心分離装置の回転駆動機構と同様な構成を有する装置本体３１と、装置本体３１の上部に設けられた脱水室３２とを備える。装置本体３１の内部にはスラスト軸受け３３が設けられ、この軸受け３３には回転シャフト３４が軸支されている。また、装置本体３１の内部にはモータ３５が設けられ、モータ３５の動力がギア３６，３７を介して回転シャフト３４に伝達されることにより、回転シャフト３４が回転する。なお、モータ３５にはＡＣアダプター３８及びＡＣ−ＤＣコンバータ（ないしはサイリスタ）３９を通じて電源が供給され、モータ３５の回転数は回転調節器４０により調節可能となっている。
【００４１】
回転シャフト３４は、脱水室３２の底面４４を貫通し、スタンド１のシャフト４の内部に嵌挿可能なようにＤカット状の断面形状を有する。回転シャフト３４の少なくとも上端部の外周にはネジ面が形成され、このネジ面にはキャップ４３が螺合により取付可能となっている。さらに、脱水室３２の内部で回転シャフト３４の底面４４の近傍には、回転シャフト３４と一体で回転するスペーサー４５が設けられている。
【００４２】
脱水室３２の側壁４１は透明な樹脂からなり、この側壁４１には脱水室３２の室外に連通する排水口４６が設けられている。排水口４６はシリコンゴム（又はこれと同等の物理的、化学的に安定な弾性特性を有するゴム）製のチューブ４７により歯科用ユニットのバキューム装置４８に接続されている。側壁４１の上部には、脱水室３２の開口５１を覆う蓋体５０が着脱自在に取り付けられるが、蓋体５０には、脱水室３２の内部がバキューム装置４８により負圧になったときに外気を取り込むための通気孔４９が形成されている。
【００４３】
この洗浄液除去装置３０を用いて切削ツール１０ａ，１０ｂ，１０ｃの乾燥を行うには、作業者は超音波洗浄の終了後に容器２０からスタンド１を取り出して、スタンド１を脱水室３２の内部に設置する。詳しくは、脱水室３２において底面４４から突出した回転シャフト３４をスタンド１のシャフト４の内部に嵌挿させ、シャフト４の上端から突出した回転シャフト３４のネジ面にキャップ４３を螺着させ、開口５１を蓋体５０で閉塞する。
【００４４】
ここで、シャフト４及び回転シャフト３４は互いに断面がＤカット形状であるので、回転シャフト３４の回転力が確実にシャフト４に伝達され、回転シャフト３４とシャフト４との間で滑りが生じて軸同士がぶれたり、回転シャフト３４が空転したりする事態が防止される。また、スタンド１がキャップ４３により上方から留められるので、スタンド１が回転時に上方に浮き上がることも防止される。さらに、スタンド１の脚部８と脱水室３２の底面４４との間にはスペーサー４５により隙間が確保されるので、スタンド１の回転時に脚部８が底面４４に摺接する事態も防止される。
【００４５】
スタンド１が回転シャフト３４に装着されると、作業者は装置本体３１に設けられた図示を略す電源スイッチをオンにする。すると、モータ３５が駆動されて回転シャフト３４が回転を開始し、この回転力がシャフト４にも伝達されてスタンド１が高速回転する。この高速回転に伴う遠心力により、切削ツール１０ａ，１０ｂ，１０ｃ及びスタンド１の表面に付着した洗浄液はそれらの表面から分離して脱水室３２の内部で飛散するが、このように飛散した水分はバキューム装置４８を駆動して排水口４６から吸引することにより、脱水室３２の内部からも除去することができる。
【００４６】
スタンド１を一定時間回転駆動させると、切削ツール１０ａ，１０ｂ，１０ｃ及びスタンド１の表面に付着した洗浄液はほとんど完全に飛ばされているので、作業者はこれらに付着した洗浄液を一つ一つ拭き取ることなくこれらを滅菌等の次工程の処理に移すことができる。
【００４７】
この実施の形態に係る洗浄液除去装置３０では、装置本体３１がスタンド１を回転させることによって、このスタンド１に保持されて洗浄された切削ツール１０ａ，１０ｂ，１０ｃに付着した洗浄液を飛散させて除去するので、たとえ切削ツール１０ａ，１０ｂ，１０ｃが複雑な形状であっても、それらを一つ一つ丁寧に払拭等しなくても付着した洗浄液を容易に除去することができ、その乾燥にかかる手間や時間等を大幅に省くことができる。また、作業者の技量によらず拭き残し等の発生を抑制することができるので、洗浄精度も高めることができる。
【００４８】
さらに、本実施の形態ではバキューム装置４８によって脱水室３２内の水分が吸引されるので、切削ツール１０ａ，１０ｂ，１０ｃやスタンド１から飛散した液滴が再度それらに付着することを有効に阻止し得て、錆の発生を確実に防止することができるとともに、洗浄液除去装置３０の使用後の各切削ツールやスタンド１のメンテナンスも容易化する。そのバキューム装置４８は歯科用ユニットのものを兼用しているから、別途新たに吸引設備を設ける必要がなく経済的である。
【００４９】
なお、本発明は上述した形態に限られるものではなく、例えば上記実施の形態ではスタンド１はインプラント治療用の切削ツールに用いられるものとしたが、ダイヤモンドバー、カーバイトバー、スチールバー等の切削ツールのスタンドとして用いられるものであってもよい。また、歯科、医科の医療用の切削ツールに限られず、例えば工業用の切削ツールであってもよい。
【００５０】
また、上記スタンド１においては保持板２ａ，２ｂ，２ｃ及び抜止板３は円板状であったが、各板の形状はこれに限られるものではなく、例えば矩形状や正多角形状であってもかまわない。ただし、回転時の慣性やスペース効率等を考慮すると、各板の形状は円板状であることが望ましい。
【００５１】
その保持板２ａ，２ｂ，２ｃ及び抜止板３の材質も樹脂に限られるものではなく、それらを例えば金属製としてもかまわないが、上記のように各板を硬質の樹脂製とすることにより、それらが保持する切削ツールの傷付きを防止することができる。各板を金属製とする場合には、貫通孔６の周面を覆うテフロン（登録商標）樹脂製の筒状アダプターを各保持板の挿通孔６に取り付けることによって、切削ツールの傷付きを有効に防止することができる。
【００５２】
さらに、保持板の枚数は必要に応じて適宜選択されればよく、貫通孔６の配置も洗浄対象となる切削ツールに応じて適宜変更してもよく、貫通孔６のいくつか、例えば貫通孔６ｂのいくつかを保持板２ｂの下面に貼着した樹脂板によって下方から塞ぎ、短い切削ツールの下端部をその樹脂板で受けるようにしてもよい。
【００５３】
【発明の効果】
本発明は、以上説明したように構成したので、切削ツールの破損や損傷を防止しつつその洗浄を容易として洗浄効率や洗浄精度の向上を図ることができるという効果を奏する。
【図面の簡単な説明】
【図ｌ】発明の実施の形態に係る洗浄用スタンドを示す斜視図である。
【図２】図１の洗浄用スタンドが保持するインプラント治療用の切削ツールの例を示す正面図である。
【図３】図１の洗浄用スタンドを示す平面図である。
【図４】図１の洗浄用スタンドが図２の切削ツールを保持した状態を示す正面図である。
【図５】図１の洗浄用スタンドを用いて切削ツールを超音波洗浄する方法を説明するための図である。
【図６】発明の実施の形態に係る洗浄液除去装置の構造を説明するための模式図であって、図１の洗浄用スタンドが装着されていない状態を示す図である。
【図７】図６の洗浄液除去装置の構造を説明するための模式図であって、図１の洗浄用スタンドが装着された状態を示す図である。
【符号の説明】
１                      洗浄用スタンド
２ａ                    保持板（上板）
２ｂ，２ｃ              保持板（上板又は下板）
３                      底板
４                      シャフト（支持体）
５                      脚柱（支持体）
６                      挿通孔（挿通孔又は受け孔）
１０ａ，１０ｂ，１０ｃ  切削ツール
２０                  容器（洗浄槽）
３０                  洗浄液除去装置
３１                  装置本体（回転駆動部）
３４                  回転シャフト（スタンド装着部）
６０ 歯科用切削ツール洗浄装置
【要約】【課題】切削ツールの破損や損傷を防止しつつその洗浄を容易とし、洗浄効率や洗浄精度の向上を図ることができる洗浄用スタンドを提供すること。
【解決手段】本発明に係る洗浄用スタンド１は、互いに平行となるようにシャフト４及び脚柱５に支持された保持板２ａ，２ｂ，２ｃを有し、保持板２ａには切削ツール１０ａ，１０ｂが挿通される挿通孔６ａが形成され、保持板２ｂ，２ｃには挿通孔６ａの下方に位置する挿通孔６ｂ，６ｃが形成され、切削ツール１０ａ，１０ｂが挿通孔６ａに上方から挿通されて挿通孔６ａの周縁部により保持されるとともに、切削ツール１０ａ，１０ｂの下部が挿通孔６ｂ，６ｃに進入した状態で、洗浄槽内の洗浄液に浸漬される。
【選択図】      図４【図１】
0003548932.tif 000002
【図２】
0003548932.tif 000003
【図３】
0003548932.tif 000004
【図４】
0003548932.tif 000005
【図５】
0003548932.tif 000006
【図６】
0003548932.tif 000007
【図７】
0003548932.tif 000008